(57)【要約】【課題】画像読取装置に、シェーディング補正での基準取得用基準板を複数種設け、原稿の読取モードに応じ、用いる基準板を切り替え、読取画像の高画質化を図る。【解決手段】画像読取装置は、光源と、読取対象の反射光が入射され、読取対象を読み取るイメージセンサと、複数種類の白基準板と、黒基準板と、白基準板を読み取った際と、黒基準板を読み取った際のイメージセンサの出力又は前記光源消灯時のイメージセンサの出力に基づきシェーディング補正を行うシェーディング補正部と、モードとして、文字モードと写真モードの選択入力を受け付ける入力部と、を備え、文字モードが選択された場合、シェーディング補正部は、写真モード用白基準板よりも暗い白基準板を読み取った際のイメージセンサの出力に基づき白基準を定め、黒基準板を読み取った際のイメージセンサの出力に基づき黒基準を定める。【選択図】図８
2010288151.tif 000002
【特許請求の範囲】
【請求項１】
読取対象に光を照射する光源と、
前記読取対象からの反射光が入射され、前記読取対象を読み取るイメージセンサと、
シェーディング補正での白基準取得のために設けられ、それぞれ明るさの異なる複数種類の白基準板と、
シェーディング補正での黒基準取得のために設けられる少なくとも１つの黒基準板と、
前記白基準板を読み取った際の前記イメージセンサの出力と、前記黒基準板を読み取った際の前記イメージセンサの出力又は前記前記光源消灯時の前記イメージセンサの出力に基づきシェーディング補正を行うシェーディング補正部と、
原稿を読み取る際のモードとして、文字再現を優先する文字モードと図形、写真再現を優先する写真モードの選択入力を受け付ける入力部と、を備え、
前記文字モードが選択された場合、
前記シェーディング補正部は、写真モード用白基準板よりも暗い、文字モード用白基準板を読み取った際の前記イメージセンサの出力に基づき白基準を定め、前記文字モード用黒基準板を読み取った際の前記イメージセンサの出力に基づき黒基準を定めることを特徴とする画像読取装置。
【請求項２】
前記写真モードが選択された場合、
前記シェーディング補正部は、前記文字モード用白基準板よりも明るい前記写真モード用白基準板を読み取った際の前記イメージセンサの出力に基づき白基準を定め、前記光源消灯時の前記イメージセンサの出力に基づき黒基準を定めることを特徴とする請求項１記載の画像読取装置。
【請求項３】
読取対象に向けて光を照射する光源と、
前記読取対象からの反射光が入射され、前記読取対象を読み取るイメージセンサと、
それぞれ明るさの異なる複数種類の白基準板と、
それぞれ明るさの異なる複数種類の黒基準板と、
前記白基準板を読み取った際の前記イメージセンサの出力と、前記黒基準板を読み取った際の前記イメージセンサの出力に基づきシェーディング補正を行うシェーディング補正部と、
原稿を読み取る際のモードとして、文字再現を優先する文字モードと図形、写真再現を優先する写真モードの選択入力を受け付ける入力部と、を備え、
前記文字モードが選択された場合、
前記シェーディング補正部は、写真モード用白基準板よりも暗い、文字モード用白基準板を読み取った際の前記イメージセンサの出力に基づき白基準を定め、写真モード用黒基準板よりも明るい文字モード用黒基準板を読み取った際の前記イメージセンサの出力に基づき黒基準を定めることを特徴とする画像読取装置。
【請求項４】
前記写真モードが選択された場合、
前記シェーディング補正部は、前記文字モード用白基準板よりも明るい前記写真モード用白基準板を読み取った際の前記イメージセンサの出力に基づき白基準を定め、前記文字モード用黒基準板よりも暗い写真モード用黒基準板を読み取った際の前記イメージセンサの出力に基づき黒基準を定めることを特徴とする請求項３記載の画像読取装置。
【請求項５】
請求項１乃至５のいずれか１項に記載の画像読取装置を備えることを特徴とする画像形成装置。
【発明の詳細な説明】
【技術分野】
【０００１】
本発明は、原稿を読み取って得られた画像データに対し、シェーディング補正を行う画像読取装置に関する。又、原稿を読み取って得られた画像データに対し、シェーディング補正を行う画像読取装置を備えた複合機、複写機等の画像形成装置に関する。
【背景技術】
【０００２】
スキャナ等の画像読取装置は、原稿を読み取り画像データを生成する。又、複写機、複合機、ＦＡＸ装置などの画像形成装置に画像読取装置が設けられることもある。そして、画像読取装置では、イメージセンサ（例えば、ＣＣＤ）の各受光素子のばらつきや、レンズ中心と周辺部での集光度の差や、光源の光量分布のムラ等で、画素の位置に依存した歪みが生ずる。このような歪み補正のため、画像読取装置では、各画素において、白基準と黒基準の間で正規化等を行うシェーディング補正の画像処理が行われることがある。
【０００３】
そして、シェーディング補正での白基準としての「真っ白」を示すため、白基準板が画像読取装置に設けられることがある。そして、白基準板を読み取った際のイメージセンサからの出力データに基づき、各画素の白基準が定められる。尚、「真っ黒」を示すため、画像読取装置に黒基準板が設けられることもある。
【０００４】
例えば、文字主体の原稿を読み取った際、文字を鮮明化し白黒の差が明確な画像を得るため、シェーディング補正後の画像データに、γ変換処理や空間フィルタ処理（例えば、エッジ強調処理）等の画像処理が画像データに施されることがある。このような、画像処理を行う画像処理装置の一例が、特許文献１に記載されている。具体的に、特許文献１には、画素ごとに画像濃度を多階調に量子化した画像データとして扱う画像処理装置において、画像データに対するγ変換手段と、画像データに対する平滑化手段とを有し、平滑化手段の平滑結果に応じてγ変換手段のγ変換特性を制御する画像処理装置が記載されている。この構成により、地肌あれが少なく、白黒のくっきりした再生画像を得ようとする（特許文献１：請求項１、段落［００２８］等参照）。
【特許文献１】特開平０５−２３３７９９号公報
【発明の概要】
【発明が解決しようとする課題】
【０００５】
一般に、画像読取装置の読み取りでの画像データの各画素の階調は、白基準と黒基準の間で規定される。そして、白基準は、白基準板を読み取ることで取得される。言い換えると、画像読取装置は、白基準板以上の白を読み取ることができない。又、黒基準は、黒基準板の読取等で取得される。
【０００６】
そして、画像読取装置では、文書だけではなく、写真など様々な原稿の読み取りが行われるため、読み取りでの濃度範囲はできるだけ広い方が好ましいとされる。従って、画像読取装置には、できるだけ白い白基準板が取り付けられる。又、黒基準には、例えば、読取用のランプの消灯状態でのイメージセンサの出力データが用いられる。
【０００７】
しかし、複写機等で、文字主体の原稿を読み取る場合、文字部分の黒よりも、黒基準としての黒の方が暗ければ（黒ければ）、文字は、真っ黒よりも少し明るいグレーとして読み取られる。同様に、白基準板の方が、白色の用紙の地肌や余白部分よりも明るければ（白ければ）、地肌等は、真っ白よりも少し暗いグレーとして読み取られる。
【０００８】
ここで、画像形成装置や画像読取装置で、文字の再現性を優先させる文字モードが選択された場合、白黒差の明確な画像を得るため、文字部分の画素の濃度値をより黒く、地肌部分の画素の濃度値をより白く置き換える画像処理が施されることがある。具体的には、γ変換処理や、空間フィルタ処理が画像データに施される場合がある。このような画像処理では、例えば、各画素に対し、白基準と黒基準の間のある濃度を境界として、真っ白又は真っ黒への濃度値の置換がなされる。
【０００９】
しかし、γ変換処理や、空間フィルタ処理などの画像処理は画像データ全体に施され、又、画像データ内の文字以外の絵柄や写真部分等、白基準と黒基準の間の階調の画素部分の情報が欠落してしまうなど、画質の劣化が生ずる場合があるという問題がある。言い換えると、何らかの画像処理を施す以上、画像データが改変され、改変により、原稿の再現性等の点において、画質の劣化が生じ得る。
【００１０】
尚、特許文献１を見ると、白基準と黒基準の取得方法は記載されていないが、シェーディング補正部）が設けられる。更に、特許文献１には、シェーディング補正後の画像データに対し、ＭＴＦ補正（エッジ強調）や、γ変換等を施す旨が記載される（特許文献１：段落［００１６］、図４等参照）。従って、γ変換等の画像処理で画質の劣化が生じ得るという問題があり、上記の問題を解決するものではない。
【００１１】
本発明は、上記従来技術の問題点に鑑みてなされたものであり、画像読取装置に、シェーディング補正での基準取得用基準板を複数種設け、原稿の読取モードに応じ、用いる基準板を切り替え、原稿ごとに必要な濃度範囲のみを使用して、読取画像の高画質化を図ることを課題とする。
【課題を解決するための手段】
【００１２】
請求項１に係る画像読取装置は、読取対象に光を照射する光源と、前記読取対象からの反射光が入射され、前記読取対象を読み取るイメージセンサと、シェーディング補正での白基準取得のために設けられ、それぞれ明るさの異なる複数種類の白基準板と、シェーディング補正での黒基準取得のために設けられる少なくとも１つの黒基準板と、前記白基準板を読み取った際の前記イメージセンサの出力と、前記黒基準板を読み取った際の前記イメージセンサの出力又は前記前記光源消灯時の前記イメージセンサの出力に基づきシェーディング補正を行うシェーディング補正部と、原稿を読み取る際のモードとして、文字再現を優先する文字モードと図形、写真再現を優先する写真モードの選択入力を受け付ける入力部と、を備え、前記文字モードが選択された場合、前記シェーディング補正部は、写真モード用白基準板よりも暗い、文字モード用白基準板を読み取った際の前記イメージセンサの出力に基づき白基準を定め、前記文字モード用黒基準板を読み取った際の前記イメージセンサの出力に基づき黒基準を定めることとした。
【００１３】
この構成によれば、文字モードでは、写真モード用の白基準板よりも暗い文字モード用白基準板を読み取って白基準が定められる。又、ランプ未点灯時よりも明るい黒基準が得られる文字モード用黒基準板を読み取って黒基準が定められる。即ち、文字モードでは、原稿読み取りにおける濃度範囲（全濃度域）をあえて狭くする。そうすると、文字モード用白基準板よりも白い（明るい）部分は真っ白として読み取られる。又、黒基準板よりも黒い（暗い）部分は真っ黒として読み取られる。即ち、文字モードでは、原稿の文字部分は、真っ黒として読み取られやすくなり、用紙の地肌部分や余白部分は、真っ白として読み取られやすくなる。
【００１４】
従って、この構成によれば、文字モードでは、文字部分の黒と地肌部分等の白の差が明確となる。又、黒と白の差を明確にするため、γ変換処理や空間フィルタ処理を行う必要がないので、γ変換処理や空間フィルタ処理による画質の劣化が生じない。又、γ変換処理や空間フィルタ処理を行う必要が無いので、白基準と黒基準の間の濃度階調の関係性が保たれる。従って、原稿を読み取って得られた画像データは、高画質となる。
【００１５】
又、請求項２に係る発明は、請求項１記載の発明において、前記写真モードが選択された場合、前記シェーディング補正部は、前記文字モード用白基準板よりも明るい前記写真モード用白基準板を読み取った際の前記イメージセンサの出力に基づき白基準を定め、前記光源消灯時の前記イメージセンサの出力に基づき黒基準を定めることとした。
【００１６】
この構成によれば、写真モードでは、文字モード用白基準板よりも明るい白基準板を読み取って白基準が定められ、文字モード用黒基準板よりも暗くなるランプ未点灯により黒基準が定められる。即ち、写真モードでは、原稿読み取りにおける濃度範囲（全濃度域）が文字モードよりも広くなる。そうすると、原稿の読み取りにおいて、明るい色から暗い色まで、幅広い範囲で原稿に存在する色を読み取ることができ、色域が広くなる。従って、色の再現範囲が広がり、原稿を読み取って得られた画像データは高画質となる。
【００１７】
又、請求項３に係る画像読取装置は、読取対象に向けて光を照射する光源と、前記読取対象からの反射光が入射され、前記読取対象を読み取るイメージセンサと、それぞれ明るさの異なる複数種類の白基準板と、それぞれ明るさの異なる複数種類の黒基準板と、前記白基準板を読み取った際の前記イメージセンサの出力と、前記黒基準板を読み取った際の前記イメージセンサの出力に基づきシェーディング補正を行うシェーディング補正部と、原稿を読み取る際のモードとして、文字再現を優先する文字モードと図形、写真再現を優先する写真モードの選択入力を受け付ける入力部と、を備え、前記文字モードが選択された場合、前記シェーディング補正部は、写真モード用白基準板よりも暗い、文字モード用白基準板を読み取った際の前記イメージセンサの出力に基づき白基準を定め、写真モード用黒基準板よりも明るい文字モード用黒基準板を読み取った際の前記イメージセンサの出力に基づき黒基準を定めることとした。
【００１８】
請求項１と同様、この構成によれば、文字モードでは、写真モード用の白基準板よりも暗い白基準板を読み取って白基準が定められる。又、写真モード用黒基準板よりも明るい黒基準板を読み取って黒基準が定められる。即ち、文字モードでは、原稿読み取りにおける濃度範囲（全濃度域）をあえて狭くする。そうすると、文字モード用白基準板よりも白い（明るい）部分は真っ白として読み取られる。又、黒基準板よりも黒い（暗い）部分は真っ黒として読み取られる。即ち、文字モードでは、原稿の文字部分は真っ黒として読み取られやすくなり、用紙の地肌部分や余白部分は真っ白として読み取られやすくなる。
【００１９】
従って、この構成によれば、文字モードでは、文字部分の黒と地肌部分等の白の差が明確となる。又、黒と白の差を明確にするため、γ変換処理や空間フィルタ処理を行う必要がないので、γ変換処理や空間フィルタ処理による画質の劣化が生じない。又、γ変換処理や空間フィルタ処理を行う必要が無いので、白基準と黒基準の間の濃度階調の関係性が保たれる。従って、原稿を読み取って得られた画像データは、高画質となる。
【００２０】
又、請求項４に係る発明は、請求項３の発明において、前記写真モードが選択された場合、前記シェーディング補正部は、前記文字モード用白基準板よりも明るい前記写真モード用白基準板を読み取った際の前記イメージセンサの出力に基づき白基準を定め、前記文字モード用黒基準板よりも暗い写真モード用黒基準板を読み取った際の前記イメージセンサの出力に基づき黒基準を定めることとした。
【００２１】
この構成によれば、写真モードでは、文字モード用白基準板よりも明るい白基準板を読み取って白基準が定められ、文字モード用黒基準板よりも暗い黒基準板を読み取って黒基準が定められる。即ち、写真モードでは、原稿読み取りにおける濃度範囲（全濃度域）が文字モードよりも広くなる。そうすると、原稿の読み取りにおいて、明るい色から暗い色まで、幅広い範囲で原稿に存在する色を読み取ることができ、色域が広くなる。従って、色の再現範囲が広がり、原稿を読み取って得られた画像データは高画質となる。
【００２２】
又、請求項５に係る画像形成装置は、請求項１乃至５のいずれか１項に記載の画像読取装置を備えることとした。
【００２３】
この構成によれば、文字モードでは、白と黒との差が明確で画質の劣化のない高画質の画像データに基づき、印刷を行うことができる。又、写真モードでは、色の再現範囲が広く、高画質の画像データに基づき印刷を行うことができる。従って、文字モード、写真モードのいずれのモードであっても、印刷物の画質は高い。
【発明の効果】
【００２４】
本発明によれば、複数種のシェーディング補正用の基準板を備えるので、文字モードや写真モード等の読み取りモードに応じ、白基準と黒基準を変え、必要な濃度範囲部分に限って読み取りを行うことができる。これにより、γ変換処理等の画像処理を行わず、文字モードでは、白黒差が明確な高画質の原稿の画像データを得ることができ、写真モードでは色の再現範囲が文字モードよりも広い高画質の原稿の画像データを得ることができる。
【図面の簡単な説明】
【００２５】
【図１】第１の実施形態に係る複写機の模型的正面断面図である。
【図２】第１の実施形態に係る画像形成部５の一部拡大模型的断面図である。
【図３】（ａ）は第１の実施形態に係る画像読取装置の一例を示す模型的正面断面図、（ｂ）はシェーディング板の一例を示す平面図である。
【図４】第１の実施形態の複写機のハードウェア構成の一例を示すブロック図である。
【図５】第１の実施形態に係る画像読取部の一例を示すブロック図である。
【図６】第１の実施形態に係る文字モードのシェーディング補正の一例の説明図である。
【図７】第１の実施形態に係る写真モードのシェーディング補正の一例の説明図である。
【図８】第１の実施形態に係る複写機での原稿の読取制御の一例を示すフローチャートである。
【図９】第２の実施形態に係るシェーディング板の一例を示す平面図である。
【図１０】第２の実施形態に係る各モードでのシェーディング補正の白基準と黒基準の一例の説明図である。
【図１１】第２の実施形態に係る複写機での原稿の読取制御の一例を示すフローチャートである。
【発明を実施するための形態】
【００２６】
以下、本発明の第１の実施形態を図１〜図８を参照しつつ説明する。但し、各実施の形態に記載されている構成、配置等の各要素は、発明の範囲を限定するものではなく単なる説明例にすぎない。
【００２７】
まず、図１を用い、本発明の第１の実施形態に係る複写機１００（画像形成装置に相当）の概略を説明する。図１は、本発明の第１の実施形態に係る複写機１００の模型的正面断面図である。
【００２８】
（複写機１００の構成の概要）
まず、図１に基づき、複写機１００の概要を説明する。図１に示すように、複写機１００の上部には原稿の画像を読み取る画像読取部２（詳細は後述）と、原稿搬送装置３（詳細は後述）とからなる画像読取装置１が配される。そして、複写機１００の内部には、給紙部４ａ、用紙搬送路４ｂ、画像形成部５ａ（詳細は後述）、中間転写部６、定着部５ｂ等が配される。
【００２９】
尚、複写機１００の正面前方には、画像読取装置１や複写機１００の動作開始を指示するためのスタートキー７１や、タッチパネル式の液晶表示部７２を有する操作パネル７（入力部に相当）を設けることができる（図１に破線で図示）。例えば、液晶表示部７２は、タッチパネルによるメニュー選択で設定指示を受け付ける。又、液晶表示部７２は、使用者に対し複写機１００の状態などの情報伝達の表示を行う。
【００３０】
又、本実施形態の複写機１００では、原稿の読み取りや、印刷（コピー）において、文字重視の文字モードと、図形や写真重視の写真モードの選択入力を液晶表示部７２に行うことができる。例えば、使用者は、液晶表示部７２に表示される各種キーを押下して、文字モードと写真モードの選択を行うことができる。即ち、操作パネル７は、原稿を読み取る際のモードとして、文字再現を優先する文字モードと図形、写真再現を優先する写真モードの選択入力を受け付ける。
【００３１】
給紙部４ａは、記録媒体として用紙（Ａ４、Ｂ４等の各サイズ）等の用紙を収納し、画像形成の際、用紙を供給する。用紙搬送路４ｂは、供給された用紙を排出トレイ４１まで搬送する。そのため、用紙搬送路４ｂには、搬送ローラ対４２等が複数設けられる。
【００３２】
中間転写部６は、画像形成部５ａの上方に設けられ、画像データに基づき、画像形成部５ａの各感光体ドラム５２の周面に形成されたトナー像の１次転写を受け、用紙にトナー像の２次転写を行う部分である。そして、中間転写ベルト６１は、下側の外周面と各感光体ドラム５２が当接するように、駆動ローラ６２、従動ローラ６３、４本の１次転写ローラ６４等に張架される。駆動ローラ６２にはモータ、ギア等の駆動手段（不図示）が接続され回転する。中間転写ベルト６１は、駆動ローラ６２の回転により、図１において時計方向（矢印方向）に周回する。ここで、１次転写ローラ６４は、各感光体ドラム５２に対向して１本ずつ回転可能に配され、１次転写ローラ６４に所定の大きさの電圧が印加される。電圧印加により、各色のトナー像が、各感光体ドラム５２から中間転写ベルト６１に１次転写される。この１次転写の際、各色のトナー像はずれなく重ね合わせられる。
【００３３】
そして、中間転写ベルト６１に当接し、駆動ローラ６２に対向し、回転可能に支持される２次転写ローラ６５が中間転写部６に設けられる。駆動ローラ６２と中間転写ベルト６１のニップに用紙とトナー像が進入した際、所定の電圧が２次転写ローラ６５に印加され、トナー像は用紙に２次転写される。ベルトクリーニング装置６６は、残トナー等を中間転写ベルト６１から除去し、清掃する。定着部５ｂは、用紙に転写されたトナー像を定着させる。用紙は定着部５ｂを通過する際に加圧・加熱され、トナー像が用紙に定着する。その後、用紙は排出トレイ４１に排出され、画像形成が完了する。
【００３４】
（画像形成部５ａの構成）
次に、図１及び図２に基づき、本発明の第１の実施形態に係る複写機１００の画像形成部５ａを説明する。図２は、本発明の第１の実施形態に係る画像形成部５ａの一部拡大模型的断面図である。
【００３５】
画像形成部５ａは、画像データに基づき記録媒体に印刷を行うため画像（トナー像）を形成する。そして、画像形成部５ａは、図１に示すように、４つの画像形成ユニット５０Ｋ（ブラックのトナー像を形成）、５０Ｃ（シアンのトナー像を形成）、５０Ｍ（マゼンタのトナー像を形成）、５０Ｙ（イエローのトナー像を形成）と、画像データに基づき、光による走査・露光を各感光体ドラム５２に対し行って、静電潜像を形成する露光装置５１で構成される。
【００３６】
このように、本実施形態の複写機１００は、黒色を含む複数色のトナーを用いてカラートナー像（カラー画像）を形成可能である。尚、各画像形成ユニット５０は、使用するトナーの色が異なるが、基本的構成は同様であるから以下の説明では特に説明する場合を除き、Ｋ、Ｙ、Ｃ、Ｍの記号は省略する。
【００３７】
そして、図２に示すように、各画像形成ユニット５０は、同図中に示す矢印方向に回転可能に支持され、モータ（不図示）等により、所定の方向に回転駆動される感光体ドラム５２を備える。又、感光体ドラム５２の周囲には、帯電装置５３、現像装置５５、清掃装置５６が配される。
【００３８】
帯電装置５３は、感光体ドラム５２の表面を所定電位に均一に帯電させる。露光装置５１は、帯電後の感光体ドラム５２表面を画像データにあわせ走査・露光する。そして、現像装置５５は、トナーを担持し、トナーを感光体ドラム５２に飛翔させるため現像バイアスが印加される現像ローラ５４を備える。現像装置５５は、静電潜像に帯電したトナーを供給して現像（可視像化）する。清掃装置５６は、感光体ドラム５２の表面を清掃する。これらの構成により、トナー像が各感光体ドラム５２の周面に形成され、トナー像は、中間転写部６に１次転写される。
【００３９】
（画像読取装置１の構成）
次に、図３に基づき、本発明の第１の実施形態に係る画像読取装置１を説明する。図３（ａ）は本発明の第１の実施形態に係る画像読取装置１の一例を示す模型的正面断面図、（ｂ）はシェーディング板２９ａの一例を示す平面図である。
【００４０】
本実施形態の画像読取装置１は、原稿搬送装置３と画像読取部２とで構成される。まず、原稿搬送装置３は、読み取りを行う原稿を載置する原稿トレイ３１、原稿の搬送を行う複数の原稿搬送ローラ対３２、原稿搬送路３３、原稿排出トレイ３４を備える。原稿トレイ３１上の原稿は、１枚ずつ原稿搬送路３３に送り出される。送り出された原稿は、画像読取部２上面の送り読取用コンタクトガラス２１ａに接するように自動かつ連続的に搬送される。又、原稿搬送装置３は、紙面奥側設けられた支点（不図示）により、上方に持ち上げ可能であり、例えば書籍等の原稿を画像読取部２の上面の載置読取用コンタクトガラス２１ｂに載せることもできる。
【００４１】
次に、画像読取部２は、スキャナとしてユニット化され、原稿に光を照射し、その反射光に基づき原稿を読み取って画像データを生成する。そのため、画像読取部２は、第１移動枠２２１、第２移動枠２２２、レンズ２３、イメージセンサ２４等を備える。
【００４２】
第１移動枠２２１は、主走査方向に伸び、読取対象に光を照射するランプ２５（光源に相当）と第１ミラー２６１を備える。第２移動枠２２２は、第２ミラー２６２、第３ミラー２６３を備える。レンズ２３は、原稿の反射光を結像する。イメージセンサ２４（例えばＣＣＤ）は、複数のライン状に、複数の受光素子が配される。そして、イメージセンサ２４は、原稿の読み取りのため、ランプ２５から原稿に当たり、レンズ２３で結像された反射光が入射されることにより反射光量に応じた光電変換を行う。即ち、イメージセンサ２４は、読取対象からの反射光が入射され、読取対象を読み取る。
【００４３】
原稿搬送装置３を用いて原稿を読み取る時、各移動枠は、送り読取用コンタクトガラス２１ａの下方で固定される。一方、載置読取用コンタクトガラス２１ｂ上の原稿を読み取る時、巻取ドラム２７の回転駆動により各移動枠を水平方向に移動させて読み取りが行われる（各移動枠と巻取ドラム２７は、ワイヤ２８で接続される）。尚、画像データの生成の詳細は後述する。又、巻取ドラム２７は、正逆回転する巻取モータ２７Ｍにより回転させられる（図５参照）。
【００４４】
ここで、送り読取用コンタクトガラス２１ａと載置読取用コンタクトガラス２１ｂの間には、原稿の搬送をガイドするガイド部材２９が設けられ、そして、ガイド部材２９の下面には、シェーディング補正を行う際の白基準や黒基準を得るためのシェーディング板２９ａが設けられる。シェーディング板２９ａは、画像読取装置１の主走査方向（原稿搬送方向と垂直な方向、図３（ａ）の紙面に対し垂直な方向）に伸びる板であり、このシェーディング板２９ａを読み取り、シェーディング補正における白基準や黒基準が定まる。
【００４５】
次に、図３（ｂ）に基づき、シェーディング板２９ａの構成を説明する。図３（ｂ）に示すように、シェーディング板２９ａは、画像読取装置１の主走査方向に伸び、それぞれ色の異なる細長い基準板を組み合わせたものである。具体的には、図３（ｂ）の上方から、写真モード用白基準板ＷＰ、文字モード用白基準板ＷＴ、文字モード用黒基準板ＢＴである。即ち、本実施形態の複写機１００には、シェーディング補正での黒基準取得のために少なくとも１つの黒基準板が設けられる。尚、本実施形態では、写真モードでの黒基準は、ランプ２５の無点灯状態のイメージセンサ２４の出力データに基づき定まる。
【００４６】
ここで、文字モード用白基準板ＷＴは、写真モード用白基準板ＷＰよりも暗い（例えば、明るい灰色。例えば、用紙の色よりも暗い）。即ち、シェーディング補正での白基準取得のために、それぞれ明るさの異なる複数種類の白基準板が設けられる。又、イメージセンサ２４の出力データは、文字モード用黒基準板ＢＴ（例えば、濃い灰色。例えば、最大濃度で印刷された文字よりも明るい）を読み取った場合の方が、ランプ２５の無点灯状態で読み取りを行った場合よりも、明るくなる。
【００４７】
（複写機１００の制御におけるハードウェア構成）
次に、図４に基づき、本発明の第１の実施形態に係る複写機１００のハードウェア構成を説明する。図４は、本発明の第１の実施形態に係る複写機１００のハードウェア構成の一例を示すブロック図である。
【００４８】
図４に示すように、本実施形態に係る複写機１００は、内部に制御部１０を有する。制御部１０は、複写機１００全体の制御を司る。例えば、制御部１０は、ＣＰＵ１０ａ、記憶部１０ｂ等から構成される。
【００４９】
ＣＰＵ１０ａは、中央演算処理装置であって、記憶部１０ｂに格納され、展開される制御プログラムに基づき複写機１００の各部の制御や演算を行う。記憶部１０ｂは、ＲＯＭ、ＲＡＭ、ＨＤＤ、フラッシュＲＯＭ等の記憶装置で構成される。記憶部１０ｂは、複写機１００の制御用プログラム、制御用データ、設定データ、画像読取部２でスキャンした画像データ等を記憶する。
【００５０】
そして、制御部１０は、画像読取装置１としての原稿搬送装置３や画像読取部２、及び、複写機１００内の給紙部４ａ、用紙搬送路４ｂ、中間転写部６、画像形成部５ａ、定着部５ｂ、画像処理部９（詳細は後述）、操作パネル７等と接続され、記憶部１０ｂの制御プログラムやデータに基づき、適切に画像形成が行われるように各部の動作を制御する。又、例えば、制御部１０は、文字モードと写真モード等のモード選択等の操作パネル７への入力内容を把握する。
【００５１】
（画像読取装置１のハードウェア構成と画像データの生成）
次に、図５に基づき、本発明の第１の実施形態に係る画像読取装置１のハードウェア構成と画像データの生成を説明する。図５は、本発明の第１の実施形態に係る画像読取部２の一例を示すブロック図である。尚、画像データの流れは、白抜矢印で図示している。
【００５２】
まず、画像読取装置１の一部である原稿搬送装置３には原稿搬送制御部３０が設けられる。原稿搬送制御部３０は、複合機本体の制御部１０と通信可能に接続され、操作パネル７のスタートキー７１が押下された場合など、原稿トレイ３１に載置された原稿の読み取りを行う場合、複合機本体の制御部１０からの指示を受ける。そして、原稿搬送制御部３０は、例えば、原稿を搬送する各種回転体を回転させる原稿搬送モータ３Ｍ等を制御する。これにより、原稿搬送装置３の動作が制御される。
【００５３】
又、画像読取装置１の一部である画像読取部２には読取制御部２０が設けられる。読取制御部２０は、ＣＰＵ、メモリ、チップ等の各種電子部品が実装された基板である。そして、読取制御部２０は、複合機本体の制御部１０と通信可能に接続され、操作パネル７のスタートキー７１が押下された場合など、原稿の読み取りを行う場合、制御部１０からの指示を受ける。又、読取制御部２０は、巻取モータ２７Ｍやランプ２５やイメージセンサ２４等と接続され、例えば、巻取ドラム２７を回転させる巻取モータ２７Ｍの動作や、原稿に光を照射するランプ２５の点消灯や、イメージセンサ２４等の駆動等を制御する。これにより、画像読取部２の動作が制御される。
【００５４】
まず、画像読取部２での画像データ生成では、イメージセンサ２４は、画素ごとに反射光の強さに応じた電流（電圧）を出力する。尚、本実施形態の複写機１００のイメージセンサ２４は、カラー対応のラインセンサであり、Ｒ、Ｇ、Ｂの各信号を出力する。そして、イメージセンサ２４の各出力電流（電圧）は、Ａ／Ｄ変換部２０ａに入力される。尚、Ａ／Ｄ変換部２０ａの前段に増幅器が設けられてもよい。Ａ／Ｄ変換部２０ａは、イメージセンサ２４の各画素のアナログの各出力電流（電圧）をディジタルデータ化し、シェーディング補正部８に出力する。
【００５５】
シェーディング補正部８は、各移動枠をシェーディング板２９ａ下方に移動させ、原稿読み取り前にシェーディング板２９ａ（文字モード用白基準板ＷＴ、写真モード用白基準板ＷＰ、文字モード用黒基準板ＢＴ）を読み取った際、或いは、ランプ２５の消灯状態のイメージセンサ２４の各画素の出力に基づくＡ／Ｄ変換部２０ａからのディジタルデータを白基準、黒基準として取得する。即ち、シェーディング補正部８は、白基準板を読み取った際のイメージセンサ２４の出力と、黒基準板を読み取った際のイメージセンサ２４の出力又は光源消灯時のイメージセンサ２４の出力に基づきシェーディング補正を行う。
【００５６】
イメージセンサ２４において、ライン状に配された各画素に相当する各受光素子のばらつき（個体特性差）や、レンズ２３の中心部と周辺部の集光度の違いや、ランプ２５の位置による発光量のムラ等によって、主走査方向において同一濃度の各基準板や、原稿を読み取っても、画素の位置により、イメージセンサ２４の各受光素子が出力する電流（電圧）の値に差が生ずる。そこで、シェーディング補正部８は、ランプ２５消灯状態若しくは各基準板を読み取った際のイメージセンサ２４の出力に基づき、各画素について白基準と黒基準を定める。
【００５７】
その後、各画素について、白基準及び黒基準の間で、イメージセンサ２４の出力（Ａ／Ｄ変換後のディジタルデータ）の大きさに応じて、階調化（量子化）が行われる。尚、シェーディング補正部８に入力されるイメージセンサ２４のディジタルデータが白基準と黒基準の間に収まらなければ、例えば、白基準、若しくは、黒基準と同値とされる。
【００５８】
例えば、シェーディング補正部８が白黒の画像データを出力する場合、１画素当たり８ビット（例えば、２５６階調）で出力し、各画素の値が濃度値となる。カラーの場合、ＲＧＢで１画素当たり、計２４ビットに量子化を行う（例えば、Ｒｅｄ＝８ビット、Ｇｒｅｅｎ＝８ビット、Ｂｌｕｅ＝８ビット、それぞれ０〜２５５の値を取り、２５６階調）。
【００５９】
具体的な白基準と黒基準について、シェーディング補正部８は、文字モードの場合、文字モード用白基準板ＷＴと文字モード用黒基準板ＢＴを読み取った際のイメージセンサ２４の出力（Ａ／Ｄ変換後のディジタルデータ）における各受光素子の出力値を文字モードでの白基準と黒基準として取得しておく。又、写真モードの場合、写真モード用白基準板ＷＰを読み取った際、及び、ランプ２５の消灯時のイメージセンサ２４の出力（Ａ／Ｄ変換後のディジタルデータ）における各受光素子の出力値を写真モードでの白基準と黒基準として取得しておく。
【００６０】
その結果、例えば、文字モードでは、シェーディング補正部８は、カラーの画像データの場合、文字モード用黒基準板ＢＴを読み取った際のイメージセンサ２４の出力値は、（Ｒ；Ｇ；Ｂ＝０，０，０）と量子化され、文字モード用白基準板ＷＴを読み取った際のイメージセンサ２４の出力値は（Ｒ；Ｇ；Ｂ＝２５５，２５５，２５５）と量子化される。又、例えば、写真モードでは、シェーディング補正部８は、カラーの画像データの場合、ランプ２５の消灯時のイメージセンサ２４の出力値は、（Ｒ；Ｇ；Ｂ＝０，０，０）と量子化され、写真モード用白基準板ＷＰを読み取った際のイメージセンサ２４の出力値は、（Ｒ；Ｇ；Ｂ＝２５５，２５５，２５５）と量子化される。
【００６１】
そして、シェーディング補正部８が出力する原稿画像の画像データは、画像処理部９に入力される。本実施形態の画像処理部９は、画像データに関する演算や作業領域としてのワークＲＡＭや専用回路としてのＡＳＩＣ等を組み合わせて構成される回路である。尚、制御部１０のＣＰＵ１０ａや記憶部１０ｂに画像処理プログラムを格納してソフトウェア的に画像処理部９を実現することもできる。
【００６２】
尚、画像処理部９は、濃度変換処理や、拡大縮小処理、画像データのデータ形式変換処理等、各種画像処理を行うことができる。しかし、実行可能な画像処理は多岐にわたるので、本説明では、画像処理部９は、公知の画像処理を行えるものとして、画像処理部９が実行可能な画像処理の詳細な説明は割愛する。
【００６３】
そして、画像処理部９が画像処理を施した後の画像データは、例えば、画像形成部５ａの露光装置５１に送られ、各感光体ドラム５２の走査・露光に用いられる。これにより、原稿に基づき印刷を行うことができる（コピー機能）。又、例えば、画像処理部９が画像処理を施した後の画像データを記憶部１０ｂに送り、記憶部１０ｂに記憶させておくこともできる（スキャナ機能）。
【００６４】
（文字モード）
次に、図６に基づき、本発明の第１の実施形態に係る文字モードでのシェーディング補正を説明する。図６は、本発明の第１の実施形態に係る文字モードでのシェーディング補正の一例の説明図である。尚、図６のグラフの縦軸は、濃度を示し、上方になるほど白く（明るく）、下方になるほど黒い（暗い）ことを示している。
【００６５】
そして、本説明では、用紙色が白色で文字色が黒色の場合を説明する。又、文字モード用白基準板ＷＴは、原稿の用紙色よりも暗く、又、文字モード用黒基準板ＢＴは、文字色よりも明るい場合を説明する。
【００６６】
上述したように、本実施形態のシェーディング補正部８は白基準よりも白いものを読み取った場合、画像データ上では真っ白として表される（例えば、Ｒ：Ｇ：Ｂの２５６階調では、濃度値は２５５：２５５：２５５）。図６に示すように、用紙色が文字モード用白基準板ＷＴよりも白い（明るい）場合、用紙色部分の画素は真っ白として読み取られる。
【００６７】
一方、本実施形態のシェーディング補正部８は、黒基準よりも黒いものを読み取った場合、画像データ上では真っ黒として表される（例えば、Ｒ：Ｇ：Ｂの２５６階調では、濃度値は０：０：０）。図６に示すように、文字色が文字モード用白基準板ＷＴよりも黒い（暗い）場合、文字色部分の画素は、真っ黒として読み取られる。
【００６８】
一般に、文字原稿の原稿読取では、文字部分を真っ黒に、用紙色部分を真っ白とし、文字と用紙色の差が明確であればあるほど、画像データや画像データによる印刷物は、鮮やかとなる。そして、本実施形態の画像読取装置１は、文字モードでは、従来画像読取装置１に搭載されていたような、真っ白の白基準板や真っ黒の黒基準板等を用いず、暗めの白基準板と明るめの黒基準板を用いる。即ち、意図的に、白基準と黒基準間の濃度範囲を狭める。その結果、文字部分は、真っ黒として読み取られやすくなる。一方、用紙部分は真っ白に読み取られやすくなる。従って、γ変換等の画像処理を施すことなく、シェーディング補正部８から出力された段階で、鮮やかな文字原稿の画像データが得られる。
【００６９】
（写真モード）
次に、図７に基づき、本発明の第１の実施形態に係る写真モードでのシェーディング補正を説明する。図７は、本発明の第１の実施形態に係る写真モードでのシェーディング補正の一例の説明図である。尚、図７のグラフの縦軸も、濃度を示し、上方になるほど白く（明るく）、下方になるほど黒い（暗い）ことを示している。又、本説明では、白黒の階調を有する画像の読み取りを例に挙げ説明する。
【００７０】
上述したように、本実施形態の画像読取装置１のシェーディング補正部８は、白基準よりも白いものを読み取った場合、画像データ上では真っ白として表される（例えば、グレースケールでは、濃度値は「２５５」）。一方、シェーディング補正部８は、黒基準よりも黒いものを読み取った場合、画像データ上では真っ黒して表される（例えば、グレースケールでは、濃度値は「０」）。
【００７１】
そうすると、例えば、図７の右方に示すように、２値的ではなく、階調の変化のある図柄や写真の読み取りを行う場合、読み取りにおける濃度範囲が狭ければ、正確に読み取られず、他の色に置き換えられてしまう（とんでしまう）色がでる場合がある。そのため、写真モードでは、文字モードよりも読み取りにおける濃度範囲を大きくする。具体的には、シェーディング補正部８は、文字モード用白基準板ＷＴよりも明るい写真モード用白基準板ＷＰを読み取った際のイメージセンサ２４の出力ディジタルデータに基づき白基準を定める。又、シェーディング補正部８は、ランプ２５の消灯時のイメージセンサ２４の出力ディジタルデータに基づき黒基準を定める。
【００７２】
例えば、写真モード用白基準板ＷＰはできるだけ白い白基準板とする。一方、ランプ２５消灯時のイメージセンサ２４の出力は、暗電流であり、通常、イメージセンサ２４の出力は最も小さいはずである。このように、写真モードでは、濃度範囲を最大限とし、広い範囲で色の読み取りができるようにする。従って、シェーディング補正部８から出力された画像データは、色の表現が豊かとなる。
【００７３】
（読取制御）
次に、図８に基づき、本発明の第１の実施形態に係る複写機１００での原稿の読取制御の一例を説明する。図８は、本発明の第１の実施形態に係る複写機１００での原稿の読取制御の一例を示すフローチャートである。尚、本説明では、スキャンやコピー等の原稿読取時、文字モードと写真モードのいずれかが操作パネル７でセットされる例を説明する。
【００７４】
まず、スタートは、例えば、操作パネル７のスタートキー７１が押下され、コピーやスキャン等での原稿の読取開始が指示された時点である。この時、複写機１００本体の制御部１０は、読み取りで選択されたモードを把握する（ステップ♯１）。次に、制御部１０は、選択されたモードが文字モードであるかを確認する（ステップ♯２）。
【００７５】
もし、選択されたモードが文字モードであれば（ステップ♯２のＹｅｓ）、制御部１０は、読取制御部２０に文字モードでの読み取りを指示する（ステップ♯３）。この指示を受けた読取制御部２０は、文字モードでの白基準を取得するため、巻取モータ２７Ｍを駆動させ、各移動枠を移動させて、シェーディング板２９ａのうちの文字モード用白基準板ＷＴの読み取りを行わせる（ステップ♯４）。そして、イメージセンサ２４の出力に基づくディジタルデータを受けたシェーディング補正部８は、画素ごとに文字モードの白基準を取得する（ステップ♯５）。
【００７６】
更に、読取制御部２０は、文字モードでの黒基準を取得するため、巻取モータ２７Ｍを駆動させ、各移動枠を移動させて、シェーディング板２９ａのうちの文字モード用黒基準板ＢＴの読み取りを行わせる（ステップ♯６）。そして、イメージセンサ２４の出力に基づくディジタルデータを受けたシェーディング補正部８は、画素ごとに文字モードの黒基準を取得する（ステップ♯７）。このように、本実施形態の画像読取装置１では、文字モードが選択された場合、シェーディング補正部８は、写真モード用白基準板ＷＰよりも暗い、文字モード用白基準板ＷＴを読み取った際のイメージセンサ２４の出力に基づき白基準を定め、文字モード用黒基準板ＢＴを読み取った際のイメージセンサ２４の出力に基づき黒基準を定める。
【００７７】
一方、選択されたモードが文字モードで無ければ（ステップ♯２のＮｏ）、本説明では選択されたモードは写真モードであるので、制御部１０は、読取制御部２０に写真モードでの読み取りを指示する（ステップ♯８）。この指示を受けた読取制御部２０は、写真モードでの白基準を取得するため、巻取モータ２７Ｍを駆動させるなどして、シェーディング板２９ａのうちの写真モード用白基準板ＷＰの読み取りを行わせる（ステップ♯９）。そして、イメージセンサ２４の出力に基づくディジタルデータを受けたシェーディング補正部８は、画素ごとに写真モードの白基準を取得する（ステップ♯１０）。
【００７８】
更に、読取制御部２０は、写真モードでの黒基準を取得するため、ランプ２５を消灯させる（ステップ♯１１）。そして、ランプ２５消灯時のイメージセンサ２４の出力に基づくディジタルデータを受けたシェーディング補正部８は、画素ごとに写真モードでの黒基準を取得する（ステップ♯１２）。このように、本実施形態の画像読取装置１では、写真モードが選択された場合、シェーディング補正部８は、文字モード用白基準板ＷＴよりも明るい写真モード用白基準板ＷＰを読み取った際のイメージセンサ２４の出力に基づき白基準を定め、光源消灯時のイメージセンサ２４の出力に基づき黒基準を定める。
【００７９】
そして、ステップ♯７又はステップ♯１２までの実行により、白基準と黒基準を取得した後、実際に原稿の読み取りが行われ（ステップ♯１３）、シェーディング補正部８は、画素ごとに、イメージセンサ２４の出力値（ディジタルデータ）を白基準と黒基準の間で規格化しつつ、予め定められた階調数（例えば、白黒２５６階調若しくは、Ｒ、Ｇ、Ｂのそれぞれ２５６階調）で量子化を行い、原稿の画像データが出力される（ステップ♯１４）。そして、原稿の読み取りが全て完了するまで（ステップ♯１５）、原稿の読み取りとシェーディング補正部８からの画像データの出力が繰り返される（ステップ♯１５のＮｏ→ステップ♯１３）。原稿の読み取りが完了すれば読取制御は完了し（エンド）、例えば、画像データに基づき印刷が行われ、或いは、記憶部１０ｂに画像データが記憶される。
【００８０】
このようにして、本実施形態の複合機や画像読取装置１によれば、文字モードでは、写真モード用白基準板ＷＰよりも暗い白基準板（文字モード用白基準板ＷＴ）を読み取って白基準が定められる。又、ランプ２５未点灯時よりも明るい黒基準が得られる黒基準板（文字モード用黒基準板ＢＴ）を読み取って黒基準が定められる。即ち、文字モードでは、原稿読み取りにおける濃度範囲（全濃度域）をあえて狭くする。そうすると、文字モード用白基準板ＷＴよりも白い（明るい）部分は真っ白として読み取られる。又、文字モード用黒基準板ＢＴよりも黒い（暗い）部分は真っ黒として読み取られる。即ち、文字モードでは、原稿の文字部分は、真っ黒として読み取られやすくなり、用紙の地肌部分や余白部分は、真っ白として読み取られやすくなる。
【００８１】
従って、文字モードでは、文字部分の黒と地肌部分等の白の差が明確となる。又、黒と白の差を明確にするため、γ変換処理や空間フィルタ処理を行う必要がないので、γ変換処理や空間フィルタ処理による画質の劣化が生じない。又、γ変換処理や空間フィルタ処理を行う必要が無いので、白基準と黒基準の間の濃度階調の関係性が保たれる。従って、原稿を読み取って得られた画像データは、高画質となる。
【００８２】
又、写真モードでは、文字モード用白基準板ＷＴよりも明るい白基準板を読み取って白基準が定められ、文字モード用黒基準板ＢＴよりも暗くなるランプ２５未点灯により黒基準が定められる。即ち、写真モードでは、原稿読み取りにおける濃度範囲（全濃度域）が文字モードよりも広くなる。そうすると、原稿の読み取りにおいて、明るい色から暗い色まで、幅広い範囲で原稿に存在する色を読み取ることができ、色域が広くなる。従って、色の再現範囲が広がり、原稿を読み取って得られた画像データは高画質となる。
【００８３】
又、複写機１００では、文字モードでは、白と黒との差が明確で画質の劣化のない高画質の画像データに基づき、印刷を行うことができる。又、写真モードでは、色の再現範囲が広く、高画質の画像データに基づき印刷を行うことができる。従って、文字モード、写真モードのいずれのモードであっても、印刷物の画質は高い。
【００８４】
（第２の実施形態）
次に、図９〜図１１に基づき、本発明の第２の実施形態を説明する。図９は、本発明の第２の実施形態に係るシェーディング板２９ａの一例を示す平面図である。図１０は、本発明の第２の実施形態に係る各モードでのシェーディング補正の白基準と黒基準の一例の説明図である。図１１は、本発明の第２の実施形態に係る複写機１００での原稿の読取制御の一例を示すフローチャートである。
【００８５】
ここで、第２の実施形態は、写真モードでの原稿読取時、写真モード用黒基準板ＢＰを用いてシェーディング補正における黒基準を取得する点で異なる（第１の実施形態では、写真モードでの原稿読取時、ランプ２５を消灯して黒基準を取得）。しかし、画像読取装置１や複写機１００の構成等、他の点では同様である。そこで、以下の説明では、共通する部分については、第１の実施形態での説明を準用できるので説明、図示を特に説明する場合を除き省略し、相違点について説明する。
【００８６】
まず、本実施形態でのシェーディング板２９ａの一例を図９に示す。尚、画像読取装置１の構成やシェーディング板２９ａの設置位置等は、第１の実施形態と同様でよい。そして、第２の実施形態では、図９の上方からみて、写真モード用白基準板ＷＰ、文字モード用白基準板ＷＴ、文字モード用黒基準板ＢＴ、写真モード用黒基準板ＢＰの複数の基準板が組み合わされたものがシェーディング板２９ａとなる。即ち、本実施形態の画像読取装置１では、それぞれ明るさの異なる複数種類の白基準板と、それぞれ明るさの異なる複数種類の黒基準板が設けられる。
【００８７】
次に、図１０に基づき、各基準板の濃度の関係を説明する。尚、図１０のグラフの縦軸は、濃度を示し、上方になるほど白く（明るく）、下方になるほど黒い（暗い）ことを示している。
【００８８】
シェーディング補正部８は、白基準よりも白いものが読み取られた場合、画像データ上では真っ白（上限値）として表される（例えば、グレースケールでは、濃度値は「２５５」）。一方、シェーディング補正部８は、黒基準よりも黒いものを読み取った場合、画像データ上では真っ黒（下限値）して表される（例えば、グレースケールでは、濃度値は「０」）。
【００８９】
そして、本実施形態の画像読取装置１は、文字モードでは、暗めの白基準板（例えば、明るい灰色。例えば、用紙の色よりも暗い）と明るめの黒基準板（例えば、濃い灰色。例えば、最大濃度で印刷された文字よりも明るい）を用いる。そして、意図的に、写真モードよりも白基準と黒基準の濃度範囲が狭められる。具体的に、文字モード用白基準板ＷＴは写真モード用白基準板ＷＰよりも暗い。又、文字モード用黒基準板ＢＴは写真モード用黒基準板ＢＰよりも明るい。その結果、文字部分は真っ黒として読み取られやすく、用紙部分は真っ白に読み取られやすくなる。
【００９０】
一方、階調の変化のある図柄や写真の読み取りを行う場合、読み取りにおける濃度範囲が狭ければ、正確に読み取り難い。そのため、写真モードでは、文字モードよりも読み取りにおける濃度範囲を大きくする。具体的に、写真モード用白基準板ＷＰは文字モード用白基準板ＷＴよりも白い（明るい）。又、写真モード用黒基準板ＢＰは文字モード用黒基準板ＢＴよりも黒い（暗い）される。これらの濃度の白黒における関係を図示すると、図１０のようになる。第１の実施形態と同様に、写真モードの濃度範囲（全濃度域）は、文字モードの濃度範囲よりも広い。
【００９１】
尚、図１１に基づき、本発明の第２の実施形態に係る複写機１００での原稿の読取制御の一例を説明しておく。尚、本説明でも、第１の実施形態と同様、コピー等の原稿の読取時、文字モードと写真モードのいずれかが操作パネル７でセットされる例を説明する。
【００９２】
ここで、図１１において、ステップ♯２１〜ステップ♯３０及びステップ♯３２〜ステップ♯３５は、図８のステップ♯１〜ステップ♯１０及びステップ♯１２〜ステップ♯１５と同様である。そのため、ステップ♯２１〜ステップ♯３０及びステップ♯３２〜ステップ♯３５の説明は、図８におけるステップ♯１〜ステップ♯１０及びステップ♯１２〜ステップ♯１５の説明を援用するものとして割愛する。
【００９３】
実際に第２の実施形態と第１の実施形態の相違は、ステップ♯３１部分のみである。第１の実施形態では、写真モードでは、シェーディング補正部８は、ランプ２５消灯時のイメージセンサ２４の出力のディジタルデータに基づき黒基準を定めていた（図８のステップ♯１１）。これに対し、第２の実施形態では、シェーディング補正部８は、写真モード用黒基準板ＢＰを読み取った際のイメージセンサ２４の出力のディジタルデータに基づき黒基準を定める。
【００９４】
即ち、文字モードが選択された場合、シェーディング補正部８は、写真モード用白基準板ＷＰよりも暗い、文字モード用白基準板ＷＴを読み取った際のイメージセンサ２４の出力に基づき白基準を定め、写真モード用黒基準板ＢＰよりも明るい文字モード用黒基準板ＢＴを読み取った際のイメージセンサ２４の出力に基づき黒基準を定める。又、写真モードが選択された場合、シェーディング補正部８は、文字モード用白基準板ＷＴよりも明るい写真モード用白基準板ＷＰを読み取った際のイメージセンサ２４の出力に基づき白基準を定め、文字モード用黒基準板ＢＴよりも暗い写真モード用黒基準板ＢＰを読み取った際のイメージセンサ２４の出力に基づき黒基準を定める。
【００９５】
このようにして、本実施形態の複合機や画像読取装置１によれば、文字モードでは、写真モード用白基準板ＷＰよりも暗い文字モード用白基準板ＷＴを読み取って白基準が定められる。又、写真モード用黒基準板ＢＰよりも明るい文字モード用黒基準板ＢＴを読み取って黒基準が定められる。即ち、第１の実施形態と同様に、文字モードでは、原稿読み取りにおける濃度範囲（全濃度域）をあえて狭くする。そうすると、文字モード用白基準板ＷＴよりも白い（明るい）部分は真っ白として読み取られる。又、黒基準板よりも黒い（暗い）部分は真っ黒として読み取られる。即ち、文字モードでは、原稿の文字部分は真っ黒として読み取られやすく、用紙の地肌部分や余白部分は真っ白として読み取られやすくなる。
【００９６】
従って、文字モードでは、文字部分の黒と地肌部分等の白の差が明確となる。又、黒と白の差を明確にするため、γ変換処理や空間フィルタ処理を行う必要がないので、γ変換処理や空間フィルタ処理による画質の劣化が生じない。又、γ変換処理や空間フィルタ処理を行う必要が無いので、白基準と黒基準の間の濃度階調の関係性が保たれる。従って、原稿を読み取って得られた画像データは、高画質となる。
【００９７】
又、写真モードでは、文字モード用白基準板ＷＴよりも明るい写真モード用白基準板ＷＰを読み取って白基準が定められ、文字モード用黒基準板ＢＴよりも暗い写真モード用黒基準板ＢＰを読み取って黒基準が定められる。即ち、写真モードでは、原稿読み取りにおける濃度範囲（全濃度域）が文字モードよりも広くなる。そうすると、原稿の読み取りにおいて、明るい色から暗い色まで、幅広い範囲で原稿に存在する色を読み取ることができ、色域が広くなる。従って、色の再現範囲が広がり、原稿を読み取って得られた画像データは高画質となる。
【産業上の利用可能性】
【００９８】
本発明は、シェーディング補正を行う画像読取装置１や、この画像読取装置１を備えた画像形成装置に利用可能である。
【符号の説明】
【００９９】
１      画像読取装置                  ２      画像読取部
２４    イメージセンサ                ２５    ランプ（光源）
７      操作パネル（入力部）          ８      シェーディング補正部
１００  複写機（画像形成装置）        ＷＴ    文字モード用白基準板
ＷＰ    写真モード用白基準板          ＢＴ    文字モード用黒基準板
ＢＰ    写真モード用黒基準板
【図１】
2010288151.tif 000003
【図２】
2010288151.tif 000004
【図３】
2010288151.tif 000005
【図４】
2010288151.tif 000006
【図５】
2010288151.tif 000007
【図６】
2010288151.tif 000008
【図８】
2010288151.tif 000009
【図９】
2010288151.tif 000010
【図１０】
2010288151.tif 000011
【図１１】
2010288151.tif 000012
【図７】
2010288151.tif 000013